(57)【特許請求の範囲】
【請求項１】
常時一定量の液体燃料を噴霧ノズルに送り込むための電磁駆動の燃料ポンプを燃料送り管の途中に設けると共に、上記燃料ポンプより上流位置において上記燃料送り管に上記噴霧ノズルから液体燃料の一部を戻すための燃料戻り管を設け、上記燃料戻り管を経由して上記燃料送り管に戻される液体燃料の流量を電磁駆動の戻り流量制御弁で制御することにより、上記噴霧ノズルで燃焼される液体燃料の量を制御するようにした噴霧燃焼装置において、
上記燃料ポンプと上記流量制御弁とを各々電磁的に駆動するとともに、上記燃料ポンプ駆動用の電磁コイルと、上記流量制御弁駆動用の電磁コイルとを並列に配置し、上記両電磁コイルより上流側に配置された各部材を一つのブロックに設けると共に、上記両電磁コイルより下流側に配置された各部材を一つのブロックに設け、上記両電磁コイルを上記両ブロックの間に挟み込んで、それらを全体として一つのユニットに形成したことを特徴とする噴霧燃焼装置。
【請求項２】
上記上流側のブロックに取り付けられた部材には、上記燃料送り管を開閉するための電磁弁と、上記燃料送り管を通る燃料の脈動を吸収するためのアキュムレータとが含まれている請求項１記載の噴霧燃焼装置。
【請求項３】
上記下流側のブロックに取り付けられた部材には、上記噴霧ノズルと、上記燃料戻り管を通る燃料の脈動を吸収するためのアキュムレータとが含まれている請求項１又は２記載の噴霧燃焼装置。
【請求項４】
上記上流側のブロックと上記下流側のブロックの両方又は一方に、燃料を濾過するためのストレーナが設けられている請求項１、２又は３記載の噴霧燃焼装置。
【発明の詳細な説明】
【０００１】
【発明の属する技術分野】
この発明は、液体燃料をノズルから噴霧して燃焼させるようにした噴霧燃焼装置に関する。
【０００２】
【従来の技術】
この種の噴霧燃焼装置においては、一般に、燃料送り管の途中に設けた燃料ポンプで常時一定量の液体燃料を噴霧ノズルに送り込むと共に、燃料戻り管を経由して噴霧ノズルから燃料ポンプより上流位置の燃料送り管に戻される液体燃料の流量を制御することにより、噴霧ノズルで燃焼される液体燃料の量を制御している。
【０００３】
【発明が解決しようとする課題】
図４は、そのような従来の噴霧燃焼装置を略示しており、燃料送り管９１の途中には、電磁ポンプ９２ａにアキュムレータ９２ｂと逆止弁９２ｃ等を加えた燃料ポンプ部ユニット９２が一つのユニットとして設けられ、燃料戻り管９３の途中には、電磁制御弁９４ａにアキュムレータ９４ｂ、逆止弁９４ｃ及びストレーナ９４ｄ等を加えた湯量調整弁部ユニット９４が一つのユニットとして設けられている。
【０００４】
しかし、そのような構成を全体として見ると、燃料ポンプ部ユニット９２、湯量調整弁部ユニット９４の両ユニットと、その上流側において燃料送り管９１を開閉するように設けられた電磁弁９５及びストレーナ９７と、下流側に設けられた噴霧ノズル９６等に分かれていて構成が雑然としているだけでなく、組み立て時には各部の配管を各々接続する作業が必要となり、組み立てコストがかかっていた。
【０００５】
そこで本発明は、全体構成がシンプル化され、組み立てコストを大幅に削減できる噴霧燃焼装置を提供することを目的とする。
【０００６】
【課題を解決するための手段】
上記の目的を達成するため、本発明の噴霧燃焼装置は、常時一定量の液体燃料を噴霧ノズルに送り込むための電磁駆動の燃料ポンプを燃料送り管の途中に設けると共に、上記燃料ポンプより上流位置において上記燃料送り管に上記噴霧ノズルから液体燃料の一部を戻すための燃料戻り管を設け、上記燃料戻り管を経由して上記燃料送り管に戻される液体燃料の流量を電磁駆動の戻り流量制御弁で制御することにより、上記噴霧ノズルで燃焼される液体燃料の量を制御するようにした噴霧燃焼装置において、上記燃料ポンプと上記流量制御弁とを各々電磁的に駆動するとともに、上記燃料ポンプ駆動用の電磁コイルと、上記流量制御弁駆動用の電磁コイルとを並列に配置し、上記両電磁コイルより上流側に配置された各部材を一つのブロックに設けると共に、上記両電磁コイルより下流側に配置された各部材を一つのブロックに設け、上記両電磁コイルを上記両ブロックの間に挟み込んで、それらを全体として一つのユニットに形成したことを特徴とする。
【０００７】
なお、上記上流側のブロックに取り付けられた部材には、上記燃料送り管を開閉するための電磁弁と、上記燃料送り管を通る燃料の脈動を吸収するためのアキュムレータとが含まれていてもよい。
【０００８】
また、上記下流側のブロックに取り付けられた部材には、上記噴霧ノズルと、上記燃料戻り管を通る燃料の脈動を吸収するためのアキュムレータとが含まれていてもよい。
【０００９】
そして、上記上流側のブロックと上記下流側のブロックの両方又は一方に、燃料を濾過するためのストレーナが設けられていてもよい。
【００１０】
【発明の実施の形態】
図面を参照して本発明の実施の形態を説明する。
図１、図２及び図３は、石油等の液体燃料を用いて給湯装置等の加熱源として用いられる噴霧燃焼装置を示しており、図１は正面断面図、図２は一部を断面で示す側面図、図３は配管図である。
【００１１】
図３に示されるように、石油タンク１０と噴霧ノズル５とを連通する燃料送り管１の途中に介挿された燃料ポンプ４１によって、石油タンク１内の石油が、燃料送り管１を通って噴霧ノズル５に常に一定量送られる。
【００１２】
噴霧ノズル５の先端部内で噴霧される石油の一部は、燃料戻り管６を経由して、燃料ポンプ４１より上流側において燃料送り管１と合流する合流部８で燃料送り管１に戻される。
【００１３】
したがって、噴霧ノズル５から燃料戻り管６を通って戻される石油の量を変えることによって、噴霧ノズル６から燃焼部に噴霧されて燃焼に供される石油の量が制御される。
【００１４】
燃料ポンプ４１は電磁駆動される電磁ポンプであり、流量制御弁７１は電磁制御される電磁制御弁である。そして、図１に具体的配置が示されるように、燃料ポンプ４１の電磁コイル４１ａと流量制御弁７１の電磁コイル７１ａとがほぼ並列に配置されている。
【００１５】
そして、その二つの電磁コイル４１ａ，７１ａより上流側の部材が全部取り付けられた上流側ブロック２０と、二つの電磁コイル４１ａ，７１ａより下流側の部材が全部取り付けられた下流側ブロック３０との間に、二つの電磁コイル４１ａ，７１ａが挟まれて、全体が一つのユニット化されている。
【００１６】
上流側ブロック２０と下流側ブロック３０には、各々に燃料送り管１と燃料戻り管６が形成されていて、上流側ブロック２０には、合流部８の他、燃料送り管１を流れる燃料を濾過してゴミを除去するためのストレーナ２、燃料送り管１を開閉するための電磁開閉弁３、及び燃料ポンプ４１による脈動を吸収するためのアキュムレータ４２（図２参照）が上流側から順に取り付けられている。
【００１７】
一方、下流側ブロック３０には、流量制御弁７１側から噴霧ノズル５への燃料の逆流を阻止するための逆止弁７３、燃料戻り管６を流れる燃料を濾過してゴミを除去するためのストレーナ７４及び脈動吸収用のアキュムレータ７２が上流側から順に取り付けられている。
【００１８】
噴霧ノズル５側から燃料ポンプ４１への燃料の逆流を阻止するための逆止弁４３は、燃料ポンプ４１内から下流側ブロック３０にかけて配置されている。なお、燃料ポンプ４１や流量制御弁７１の内部構成等は公知のものなので、その詳細な説明は省略する。
【００１９】
このように構成された噴霧燃焼装置は、燃料ポンプ４１の電磁コイル４１ａと流量制御弁７１の電磁コイル７１ａを、それより上流側の部材が全部取り付けられた上流側ブロック２０と下流側の部材が全部取り付けられた下流側ブロック３０との間に挟み込まれて、全体が一つのユニット化されているので、全体構造が非常にシンプルであり、組み立て時には配管接続作業をほとんど行わなくてよいので、組み立てコストを大幅に削減することができる。
【００２０】
【発明の効果】
本発明によれば、燃料ポンプと流量制御弁を駆動する二つの電磁コイルとを並列に配置し、両電磁コイルより上流側に配置された各部材を一つのブロックに設けると共に、両電磁コイルより下流側に配置された各部材を一つのブロックに設け、両電磁コイルを両ブロックの間に挟み込んで、それらを全体として一つのユニットに形成したことにより、噴霧燃焼装置の全体構造が非常にシンプルになり、組み立て時には配管接続作業をほとんど行わなくてよいので、組み立てコストを大幅に削減することができる。
【図面の簡単な説明】
【図１】本発明の実施の形態の噴霧燃焼装置の正面断面図である。
【図２】本発明の実施の形態の噴霧燃焼装置の一部を断面で示す側面図である。
【図３】本発明の実施の形態の噴霧燃焼装置の配管図である。
【図４】従来の噴霧燃焼装置の配管図である。
【符号の説明】
１  燃料送り管
５  噴霧ノズル
６  燃料戻り管
２０  上流側ブロック
３０  下流側ブロック
４１  燃料ポンプ
４１ａ  電磁コイル
７１  流量制御弁
７１ａ  電磁コイル
【図１】
0003786536.tif 000002
【図２】
0003786536.tif 000003
【図３】
0003786536.tif 000004
【図４】
0003786536.tif 000005